(57)【要約】【課題】調整作業の容易化を図ることができる農作業機を提供する。【解決手段】農作業機１は、上下方向に回動可能な伝動ケース71を備える。伝動ケース71の下部には、圃場に播き溝ｍを形成するコールタ72を設ける。農作業機１は、播き溝ｍ内に被播き物ａ，ｂを播く播き手段21と、被播き物ａ，ｂを覆う覆土を鎮圧する鎮圧輪22とを備える。伝動ケース71の回動に基づいて、播き手段21および鎮圧輪22が互いの位置関係を維持したまま平行移動する。【選択図】図１
2015039304.tif 000002
【特許請求の範囲】
【請求項１】
上下方向に回動可能な回動体と、
この回動体に設けられ、圃場に播き溝を形成する溝形成体と、
前記播き溝内に被播き物を播く播き手段と、
この播き手段にて播かれた被播き物を覆う覆土を鎮圧する鎮圧輪とを備え、
前記回動体の回動に基づいて、前記播き手段および前記鎮圧輪が互いの位置関係を維持したまま平行移動する
ことを特徴とする農作業機。
【請求項２】
回動体に前端部が回動可能に取り付けられたフレーム体と、
このフレーム体に設けられ、鎮圧輪を支持する第１支持体と、
この第１支持体に設けられ、播き手段を支持する第２支持体と
を備えることを特徴とする請求項１記載の農作業機。
【請求項３】
播き手段は、
第２支持体に取り付けられたディスク取付部材と、
このディスク取付部材に取り付けられ、被播き物を播き溝内に案内する位置決めディスクとを有する
ことを特徴とする請求項２記載の農作業機。
【発明の詳細な説明】
【技術分野】
【０００１】
本発明は、調整作業の容易化を図ることができる農作業機に関するものである。
【背景技術】
【０００２】
従来、例えば特許文献１に記載された農作業機が知られている。
【０００３】
この従来の農作業機は、例えば圃場に播き溝を形成する溝形成体である作溝ディスクと、播き溝内に被播き物を播く播き手段と、被播き物を覆土で覆う円板状の覆土手段である覆土ディスクと、被播き物を覆う覆土を鎮圧する鎮圧輪である鎮圧ローラとを備えている。
【先行技術文献】
【特許文献】
【０００４】
【特許文献１】特開２００３−１２５６１１号公報
【発明の概要】
【発明が解決しようとする課題】
【０００５】
しかしながら、上記従来の農作業機では、例えば覆土ディスクの上下位置の調整や鎮圧ローラの上下位置の調整をそれぞれ個別に行わなければならず、調整作業に手間取るおそれがある。
【０００６】
本発明は、このような点に鑑みなされたもので、調整作業の容易化を図ることができる農作業機を提供することを目的とする。
【課題を解決するための手段】
【０００７】
請求項１記載の農作業機は、上下方向に回動可能な回動体と、この回動体に設けられ、圃場に播き溝を形成する溝形成体と、前記播き溝内に被播き物を播く播き手段と、この播き手段にて播かれた被播き物を覆う覆土を鎮圧する鎮圧輪とを備え、前記回動体の回動に基づいて、前記播き手段および前記鎮圧輪が互いの位置関係を維持したまま平行移動するものである。
【０００８】
請求項２記載の農作業機は、請求項１記載の農作業機において、回動体に前端部が回動可能に取り付けられたフレーム体と、このフレーム体に設けられ、鎮圧輪を支持する第１支持体と、この第１支持体に設けられ、播き手段を支持する第２支持体とを備えるものである。
【０００９】
請求項３記載の農作業機は、請求項２記載の農作業機において、播き手段は、第２支持体に取り付けられたディスク取付部材と、このディスク取付部材に取り付けられ、被播き物を播き溝内に案内する位置決めディスクとを有するものである。
【発明の効果】
【００１０】
本発明によれば、回動体の回動に基づいて播き手段および鎮圧輪が互いの位置関係を維持したまま平行移動する構成であるから、調整作業の容易化を図ることができる。
【図面の簡単な説明】
【００１１】
【図１】本発明の一実施の形態に係る農作業機の側面図である。
【図２】同上農作業機の部分平面図である。
【図３】同上農作業機の部分斜視図である。
【図４】同上農作業機の鎮圧輪部分の側面図である。
【図５】同上鎮圧輪部分の平面図である。
【図６】同上鎮圧輪部分の背面図である。
【図７】同上農作業機の伝動ケースが立った状態での側面図である。
【図８】同上農作業機の伝動ケースが寝た状態での側面図である。
【図９】図７に対応する図であって仮想平行四辺形を示す側面図である。
【図１０】図８に対応する図であって仮想平行四辺形を示す側面図である。
【発明を実施するための形態】
【００１２】
本発明の一実施の形態について図１ないし図１０を参照して説明する。
【００１３】
図中の１は農作業機で、この農作業機１は、例えば走行車であるトラクタ（図示せず）の後部に連結され、圃場上をトラクタの前進走行により前方（進行方向）に移動しながら播種作業等をする多条式の不耕起播種機である。すなわちこの農作業機１は、耕耘部（ロータリ）を備えていない播種機である。
【００１４】
農作業機１は、図１および図２等に示されるように、トラクタの後部の３点リンク部（農作業機昇降部）に脱着可能に連結される機体２を備えている。機体２の左右方向中央の軸支持部３には、前後方向の入力軸４が回転可能に設けられている。なお、入力軸４は、トラクタの後部のＰＴＯ軸に伝動用のジョイントを介して接続される。
【００１５】
機体２の前部の左右両側には、圃場に接地するゲージ輪手段６が上下位置調整可能に設けられている。各ゲージ輪手段６は、把持部７を上端部に有するゲージ輪取付アーム８と、このゲージ輪取付アーム８の下端部に回転可能に取り付けられ圃場の表面部に接地する接地輪であるゲージ輪９とを有している。
【００１６】
ゲージ輪取付アーム８には、上下方向に間隔をおいて並ぶ複数の孔部8aが形成されている。機体２の筒状のホルダ部５には、ピン用孔部5aが形成されている。そして、複数の孔部8aの中から選択された一の孔部8aおよびホルダ部５のピン用孔部5aに対して止めピン20が挿入されることにより、ゲージ輪取付アーム８が機体２のホルダ部５に止めピン20を介して取り付けられている。なお、止めピン20を挿入する孔部8aを変えることによって、機体２に対するゲージ輪手段６の上下位置を調整することが可能となっている（図７および図８参照）。
【００１７】
機体２の前部における左右方向に間隔をおいた複数箇所には、圃場の表面部に進行方向に沿った直線状の溝である播き溝ｍを凹状に形成する溝形成手段11がそれぞれ設けられている。そして、この農作業機１は、溝形成手段11にて圃場の表面部に凹状に形成された播き溝ｍ内に被播き物、すなわち例えば種子ａおよび肥料ｂを播く播き手段21と、この播き手段21にて播かれた種子ａおよび肥料ｂを覆う覆土を所定方向に回転しながら鎮圧する鎮圧輪22と、この鎮圧輪22の外周面に付着した土を掻き取って除去し、この除去した土を被播き物用の覆土（種子ａおよび肥料ｂを覆う土）として用いるために鎮圧輪22の前方の近傍位置に落下させる土除去手段23とをそれぞれ複数備えている。
【００１８】
ここで、各播き手段21は、例えば種子ホッパ26内の種子ａおよび肥料ホッパ27内の肥料ｂを播き溝ｍ内に一定間隔で播くものである。なお、播き手段21は、例えば被播き物として種子ａのみを播き溝ｍ内に播くものでもよい。
【００１９】
各播き手段21は、種子ホッパ26の下部に上端部が接続された可撓性の種子案内ホース28を有している。種子案内ホース28の下端部は曲がり管である種子案内管29の上端部に接続され、この種子案内管29の下端部の種子出口29aが円板状の位置決め体である位置決めディスク30の側方近傍で開口している。
【００２０】
そして、種子ホッパ26内の繰出用回転体（図示せず）が回転して種子ａが種子ホッパ26内から繰り出されると、この繰り出された種子ａは、種子案内ホース28内および種子案内管29内を通って種子出口29aから排出され、その後、位置決めディスク30に当たって向きが鉛直下向きに変わり、播き溝ｍ内に落下する。
【００２１】
また、各播き手段21は、肥料ホッパ27の下部に上端部が接続された可撓性の肥料案内ホース31を有している。肥料案内ホース31の下端部は曲がり管である肥料案内管32の上端部に接続され、この肥料案内管32の下端部の肥料出口32aが位置決めディスク30の側方近傍で開口している。
【００２２】
そして、肥料ホッパ27内の繰出用回転体（図示せず）が回転して肥料ｂが肥料ホッパ27内から繰り出されると、この繰り出された肥料ｂは、肥料案内ホース31内および肥料案内管32内を通って肥料出口32aから排出され、その後、位置決めディスク30に当たって向きが鉛直下向きに変わり、播き溝ｍ内に落下する。
【００２３】
一方、位置決めディスク30は、鎮圧輪22を回転可能に支持する第１支持体である鎮圧輪取付アーム33から下方に突出して播き手段21を支持する第２支持体である突出アーム34に上下位置調整可能に取り付けられたディスク取付部材であるディスク取付板35に、左右方向の軸36を介して回転可能に取り付けられている。
【００２４】
つまり、前上がり傾斜状の鎮圧輪取付アーム33の前側下部に上下方向長手状の突出アーム34の上端部が固着され、この突出アーム34に播き手段21のディスク取付板35が上下位置調整可能に取り付けられ、このディスク取付板35に位置決めディスク30が回転可能に取り付けられている。そして、この位置決めディスク30は、鉛直面に沿って位置し、片側の側面によって種子ａおよび肥料ｂを播き溝ｍ内に案内する。なお、ディスク取付板35には、種子案内管29および肥料案内管32が固着されている。
【００２５】
各鎮圧輪22は、播き手段21の位置決めディスク30の後方で、所定方向に回転しながら覆土鎮圧作業をするものである。なお、鎮圧輪22は、圃場に接地した状態で圃場側から受ける力で所定方向（図４に示す回転方向）に回転する。
【００２６】
各鎮圧輪22は、図３ないし図６にも示されるように、正面視でＶ字状（略Ｖ字状を含む）となるように位置する円板状の左右１対の鎮圧輪部材41を有し、これら両鎮圧輪部材41は、鎮圧輪22の外周面から除去された細かい土からなる覆土を鎮圧して断面山型状に押し固める。
【００２７】
また、各鎮圧輪部材41は、鎮圧輪取付アーム33の下端部（後端部）における左右両側の取付部42に、左右方向に対して傾斜した軸43を介して回転可能に取り付けられている。各鎮圧輪部材41は、軸43を中心として回転する円板状の円板部46と、この円板部46の外周端部に一体に連設され外側方に向かって徐々に拡径する截頭円錐状の截頭円錐板部47とにて構成されている。
【００２８】
円板部46には、４つの扇状の貫通孔48が形成されている。截頭円錐板部47には、周方向に互いに間隔をおいて並ぶ３角状の複数の切欠49が形成されている。そして、截頭円錐板部47の外周面にて、覆土が鎮圧されて断面山型状に押し固められる（図６参照）。
【００２９】
なお、鎮圧輪22の前方には、互いに離間対向するＶ字状の両円板部46間に土が進入するのを防止する板状の土進入防止体（ガード）50が配設されている。この土進入防止体50は、下端ほど幅の狭い略３角形状をなす湾曲板状に形成されている。
【００３０】
また、鎮圧輪取付アーム33は、伝動ケース後方フレーム66に対して左右方向の軸45を中心として上下回動可能で、コイル状のバネ40aを有する調整手段40によって伝動ケース後方フレーム66に対する鎮圧輪22の上下位置を調整することが可能となっている。
【００３１】
各土除去手段23は、鎮圧輪22の上部前方で、鎮圧輪22の外周面に付着した圃場の表面部の土を除去してその鎮圧輪22の前方に落下させるものである。つまり、各土除去手段23は、鎮圧輪22から除去した土をその鎮圧輪22の前方近傍に落下させるよう、鎮圧輪22の外周面における上部前側の部分に近接して接触した状態に配設されている。
【００３２】
各土除去手段23は、図３ないし図６にも示されるように、互いに離間対向して位置する矩形板状の左右１対の土除去体であるスクレーパ51を有し、これら両スクレーパ51にて鎮圧輪22の截頭円錐板部47の外周面から掻き取られて除去された土は、鎮圧輪22の左右方向中央部の前方に落下する。
【００３３】
すなわち、左右のスクレーパ51で掻き取られて細かくなった土は、播き溝ｍに向かうように互いに接近する方向（平面視で前後方向に対して播き溝側へ傾斜した方向）に向かって飛んで落下し、その結果、播き溝ｍが埋まるとともに、被播き物（種子ａおよび肥料ｂ）を覆う所望量の覆土となって盛り上がる。そして、この盛り上がった覆土（鎮圧輪22に付着していた土）は、鎮圧輪22の両鎮圧輪部材41にて鎮圧されて断面山型状に押し固められる。
【００３４】
また、各スクレーパ51は、板状のスクレーパ取付部材であるスクレーパ取付板52の左右方向両端部に、取付具（例えばボルトおよびナット）53にて脱着可能に取り付けられている。なお、スクレーパ取付板52は、鎮圧輪取付アーム33の長手方向中間部の下面に固着されている。
【００３５】
各スクレーパ51は、例えば中間の１箇所で折り曲げられた金属製の板からなるもので、スクレーパ取付板52に取り付けられた取付板部56と、この取付板部56の後端部に一体に連設された前下り傾斜状の土除去板部57とにて構成されている。そして、土除去板部57の後端部である自由端部が、鎮圧輪部材41の截頭円錐板部47の外周面における上部前側の部分に線状に接触（摺接）する接触部58となっている。この接触部58の長さ寸法は、截頭円錐板部47の外周面の幅寸法よりも長い。なお、接触部58の長さ寸法と截頭円錐板部47の外周面の幅寸法とが同じでもよい。
【００３６】
また、対をなすスクレーパ51は、平面視でハ字状（略ハ字状を含む）となるように位置しており、両接触部58間の離間距離が両前端部間の離間距離よりも長い（図５参照）。
【００３７】
また一方、各溝形成手段11は、図１ないし図３等に示されるように、機体２のメインフレーム61の軸状の回動支点部10に上下方向に回動可能に設けられた回動体である伝動ケース（例えばチェーンケース）71を有している。そして、伝動ケース71は、上端側に位置する左右方向の回動支点部10を中心として下端側が昇降するように上下方向に回動する。
【００３８】
伝動ケース71の下部には、入力軸４側からの動力で所定方向に強制的に回転（第１回転中心軸線Ａを中心とする駆動回転）しながら圃場の表面部に播き溝ｍを形成する円板状の溝形成体であるコールタ72が、その中心部に位置する水平な左右方向の第１回転中心軸線Ａを中心として回転可能に設けられている。つまり、伝動ケース71の下部には、この伝動ケース71内のチェーンとともに回転する回転軸73を介して溝形成用のコールタ72が回転可能に設けられている。コールタ72の外周部が、圃場の表面部に入り込む溝形成用の刃部74となっており、この刃部74には周方向に等間隔で並ぶ半円状の複数の凹部分75が形成されている。
【００３９】
また、伝動ケース71の下端部には、圃場に接地した状態で圃場側から受ける力で所定方向に回転（第２回転中心軸線Ｂを中心とする従動回転）しながら圃場上を走行して播き溝ｍの深さを設定する短筒の円筒状の接地体であるコールタゲージ筒76が、その中心部に位置する水平な左右方向の第２回転中心軸線Ｂを中心として回転可能に設けられている。
【００４０】
つまり、伝動ケース71の下端部には、規制体であるコールタゲージ筒76が左右方向の支軸77を介して回転可能に設けられている。換言すると、コールタゲージ筒76は、伝動ケース71の下端部側面に固定的に突設された固定軸である支軸77にて回転可能に支持されており、圃場側から受ける力でその支軸（第２回転中心軸線Ｂ）77を中心として回転する。この丸軸状の支軸77は、例えば伝動ケース71の下端部側面における中央部（略中央部を含む）に溶接等にて固着されている。
【００４１】
また、コールタゲージ筒76は、例えば外周面が第２回転中心軸線Ｂを中心とする円筒面状に形成された円筒状部78と、この円筒状部78の内面に４つの外端部が固着された側面視略十字状の取付部79とにて構成され、この取付部79の中央の筒状部分79aが支軸77の外周側に回転可能に取り付けられている。
【００４２】
なお、コールタゲージ筒76の外径寸法は、コールタ72の外径寸法よりも小さい。側面視で、コールタゲージ筒76は、その全体がコールタ72と重なって位置している。また、コールタゲージ筒76は伝動ケース71の一側方の近傍位置に配設され、コールタ72は伝動ケース71の他側方の近傍位置に配設されている。
【００４３】
さらに、伝動ケース71の上部後側の取付部81には、上下方向長手状のロッド82の下端部が回動可能に取り付けられている。ロッド82の上端側は、メインフレーム61に回動可能に取り付けられた筒状部材83内にスライド可能に嵌合挿通されている。ロッド82には複数の孔部85が形成され、一の孔部85に挿入した第１ピン86と筒状部材83の上端との間にはコイル状の第１バネ87が配設され、他の孔部85に挿入した第２ピン88と筒状部材83の下端との間にはコイル状の第２バネ89が配設されている。なお、コールタ72の上方には、コールタカバー90が配設されている。
【００４４】
ここで、図１等から明らかなように、コールタ72の回転中心である第１回転中心軸線Ａは回転軸73の軸芯を通る線であり、コールタゲージ筒76の回転中心である第２回転中心軸線Ｂは支軸77の軸芯を通る線であり、これら第１回転中心軸線Ａと第２回転中心軸線Ｂとは互いに異なるもので、同一線上に位置せず、第２回転中心軸線Ｂは第１回転中心軸線Ａよりも伝動ケース71の下端側である先端側に位置している。つまり、回転軸73と支軸77とは同軸上に位置せず、コールタゲージ筒76の支軸77がコールタ72の回転軸73から下方側へずれている。
【００４５】
このため、伝動ケース71の機体２に対する回動支点部10を中心とする回動に基づいて、コールタ72の下端位置とコールタゲージ筒76の下端位置との距離が変化して播き溝ｍの深さが変わる。
【００４６】
例えば図７には伝動ケース71が立った状態、つまり鉛直方向に対して傾斜角度θ1をもって傾斜した状態が示され、この状態では、コールタ72の下端位置とコールタゲージ筒76の下端位置との距離はｋ1である。
【００４７】
また、例えば図８には伝動ケース71が寝た状態、つまり鉛直方向に対して傾斜角度θ2をもって傾斜した状態が示され、この状態では、コールタ72の下端位置とコールタゲージ筒76の下端位置との距離はｋ2（＞ｋ1）である。そして、この図８に示す播き溝ｍの深さ「ｋ2」は、図７に示す播き溝ｍの深さ「ｋ1」よりも深い。
【００４８】
このように、図７および図８に示す構成（ゲージ輪有りの構成）の場合、機体２に対するゲージ輪手段６の上下位置調整によって伝動ケース71が機体２に対して回動すると、この伝動ケース71の回動に基づいてコールタ72の下端位置とコールタゲージ筒76の下端位置との距離（播き溝ｍの深さ）が変化する。つまり、伝動ケース71の上方回動に応じて播き溝ｍが深くなり、伝動ケース71の下方回動に応じて播き溝ｍが浅くなる。
【００４９】
なお、ゲージ輪手段６を有しない構成（ゲージ輪無しの構成）の場合、トラクタの３点リンク部（油圧装置）による農作業機１全体のトラクタに対する上下位置調整によって伝動ケース71が機体２に対して回動すると、この伝動ケース71の回動に基づいてコールタ72の下端位置とコールタゲージ筒76の下端位置との距離が変化する。
【００５０】
また、機体２は、図１および図２等に示されるように、メインフレーム61、左右の側フレーム62、後フレーム63、ステップ64、連結リンク65および伝動ケース後方フレーム66等を有している。この前後方向長手状をなす平行移動可能なフレーム体である伝動ケース後方フレーム66は、その前端部が伝動ケース71の下部後側の取付部60に左右方向の軸67を介して回動可能に取り付けられている。この伝動ケース後方フレーム66の長手方向中間部の取付部68には、鎮圧輪取付アーム33の上端部（前端部）が左右方向の軸45を介して回動可能に取り付けられている。
【００５１】
また、機体２の後部の後フレーム63は、左右方向に間隔をおいて並ぶ複数のリンク取付部91を有し、この各リンク取付部91に連結リンク65の上端部が左右方向の軸92を介して回動可能に取り付けられている。連結リンク65の下端部は、伝動ケース後方フレーム66の後端部のリンク取付部93に左右方向の軸94を介して回動可能に取り付けられている。
【００５２】
そして、図９および図１０に示されるように、側面視で、農作業機１は、メインフレーム61に対する伝動ケース71の回動中心である回動支点部10と、伝動ケース71に対する伝動ケース後方フレーム66の回動中心である軸67と、後フレーム63に対する連結リンク65の回動中心である軸92と、連結リンク65に対する伝動ケース後方フレーム66の回動中心である軸94とを４つの頂点P1〜P4とする仮想平行四辺形を有する構成となっている。つまり、農作業機１は、伝動ケース71と連結リンク65とからなる平行リンク95を有し、この平行リンク95の回動により伝動ケース後方フレーム66が平行移動する構成となっている。
【００５３】
このため、機体２のメインフレーム61に対する伝動ケース71の回動支点部10を中心とする回動に基づいて、連結リンク65が後フレーム63に対して軸92を中心として回動するとともに伝動ケース後方フレーム66が平行移動し、その結果、この伝動ケース後方フレーム66と一体となって播き手段21および鎮圧輪22が互いの位置関係を維持したまま一定姿勢の状態で平行移動する。
【００５４】
次に、農作業機１の作用等を説明する。
【００５５】
例えば粘土質の圃場において、農作業機１をトラクタの後部に連結した状態でトラクタの前進走行により進行方向に移動させると、溝形成手段11のコールタ72が圃場の表面部（未耕土）に所望深さの播き溝ｍを形成し、その後方で播き手段21が種子出口29aおよび肥料出口32aから種子ａおよび肥料ｂをそれぞれ落下させて播き溝ｍ内に播き、その後方で鎮圧輪22の鎮圧輪部材41が種子ａおよび肥料ｂを覆う覆土を断面山型状に鎮圧する。
【００５６】
このとき、鎮圧輪22の鎮圧輪部材41にて鎮圧される覆土は、土除去手段23のスクレーパ51にて鎮圧輪部材41の外周面から掻き取られて細かくなった土であって、鎮圧輪部材41の外周面に付着していた土である。
【００５７】
すなわち、例えば粘土質の圃場では、鎮圧輪22の鎮圧輪部材41の外周面には粘土質の土が付着するが、この付着した土は、土除去手段23のスクレーパ51によって鎮圧輪部材41の外周面から掻き取られ、この掻き取りの際に覆土に適した細かい土となる。そして、その細かくなった細土は、播き溝ｍに向かって落下して播き溝ｍ内に入るとともに被播き物用の覆土となって圃場の表面部上に盛り上がり、この盛り上がった覆土が鎮圧輪22にて鎮圧されて押し固められる。
【００５８】
また、例えば異なる種類の種子ａを播くために、溝形成手段11のコールタ72にて形成される播き溝ｍの深さを変更調整する場合には、止めピン20を挿入するゲージ輪取付アーム８の孔部8aを変えることによって、機体２に対するゲージ輪手段６の上下位置を調整すればよい。
【００５９】
ゲージ輪手段６を機体２のホルダ部５に対して上下方向に移動調整すると、機体２のメインフレーム61に吊り下げられた状態となっている伝動ケース71の回動に基づいて、コールタ72の下端位置とコールタゲージ筒76の下端位置との距離（播き溝ｍの深さ）が変化する（図７および図８参照）。
【００６０】
またこの際、図９および図１０に示すように、その伝動ケース71の回動に基づいて、播き手段21および鎮圧輪22が互いの位置関係を維持したまま平行移動する。すなわち例えば、ゲージ輪手段６の上下位置調整（または油圧による農作業機１全体の上下位置調整）により、伝動ケース71がメインフレーム61に対して上方回動しても、位置決めディスク30および鎮圧輪部材41は、互いの位置関係を維持したまま上方側に平行移動し、深さ調整後の播き溝ｍに対しても適正な状態となる。このため、播き溝ｍの深さ調整の際に、作業者は、ゲージ輪手段６の上下位置調整（または油圧による農作業機１全体の上下位置調整）のみ行えばよい。
【００６１】
そして、このような農作業機１によれば、伝動ケース71の回動に基づいて播き手段21および鎮圧輪22が互いの位置関係を維持したまま平行移動する構成であるから、従来の構成に比べて調整作業の容易化を図ることができる。すなわち例えばコールタ72、コールタゲージ筒76、位置決めディスク30および鎮圧輪22の各上下位置の調整をそれぞれ個別にする必要がなく、調整作業の容易化を図ることができる。
【００６２】
しかも、後方の鎮圧輪22は、圃場の土の硬さによって一定の高さで安定するため、鎮圧輪22を基準として播き溝ｍの深さを設定でき、播き溝ｍの深さを安定させることができる。
【００６３】
また、溝形成用のコールタ72の第１回転中心軸線Ａと溝深さ設定用のコールタゲージ筒76の第２回転中心軸線Ｂとが同一線上に位置せず、伝動ケース71の回動に基づいてコールタ72の下端位置とコールタゲージ筒76の下端位置との距離が変化する構成であるから、コールタ72にて形成される播き溝ｍの深さを容易に変更できる。
【００６４】
さらに、円板状のコールタ72にて圃場に播き溝ｍを適切に形成することができるとともに、円筒状のコールタゲージ筒76にて播き溝ｍの深さを適切に設定することができる。
【００６５】
また、外周面が円筒面状に形成された円筒状をなすコールタゲージ筒76は、圃場に接地した状態で圃場側から受ける力で所定方向に回転しながら圃場上を走行することで、コールタ72にて形成される播き溝ｍの深さを適切に設定することができる。
【００６６】
さらに、鎮圧輪22の外周面に付着した土を除去して被播き物用の覆土として用いることができるため、圃場の土の土質に拘わらず、被播き物、すなわち例えば種子ａおよび肥料ｂを所望量の覆土で安定して適切に覆うことができる。
【００６７】
また、土除去手段23は、鎮圧輪22の外周面における上部前側の部分に近接して配設されているため、鎮圧輪22の外周面に付着した土を適切に除去でき、その除去した土を被播き物用の覆土として用いることができる。
【００６８】
なお、播き手段21は、種子および肥料を播くものには限定されず、例えば種子および肥料のいずれか一方のみを播くものや、被播き物として薬剤を播くもの等でもよい。
【００６９】
また、コールタゲージ筒76等の接地体は、伝動ケース71等の回動体に固定した支軸77にて回転可能に支持され、圃場側からの力で従動回転するものには限定されず、例えば回動体に回転軸を介して回転可能に設けられ、入力軸４側からの動力でその回転軸とともに駆動回転するもの等でもよい。
【００７０】
さらに、溝形成手段11は、例えばコールタゲージ筒76等の接地体を有しない構成等でもよい。
【００７１】
また、例えば伝動ケース71から後方に突出した伝動ケース後方フレーム66によって播き手段21および鎮圧輪22を直接支持するようにしてもよい。
【符号の説明】
【００７２】
１    農作業機
21    播き手段
22    鎮圧輪
30    位置決めディスク
33    第１支持体である鎮圧輪取付アーム
34    第２支持体である突出アーム
35    ディスク取付部材であるディスク取付板
66    フレーム体である伝動ケース後方フレーム
71    回動体である伝動ケース
72    溝形成体であるコールタ
ａ    被播き物である種子
ｂ    被播き物である肥料
ｍ    播き溝
【図１】
2015039304.tif 000003
【図２】
2015039304.tif 000004
【図３】
2015039304.tif 000005
【図４】
2015039304.tif 000006
【図５】
2015039304.tif 000007
【図６】
2015039304.tif 000008
【図７】
2015039304.tif 000009
【図８】
2015039304.tif 000010
【図９】
2015039304.tif 000011
【図１０】
2015039304.tif 000012